(57)【要約】【課題】  携帯通信端末などの無線回路の基板上のデバイスやパターンの占有面積を削減する。【解決手段】受信Ｉ／Ｑ信号は、ＬＰＦ４７，４８で遮断されるため、直交変調器４６には入力されず、又、ＬＰＦ６７，６８で遮断されるため、Ｄ／Ａ変換部６９，７０には入力されない。又、出力Ｉ／Ｑ信号は、ＢＰＦ６３，６４で遮断されるため、Ａ／Ｄ変換部６５，６６には入力されず、又、ＨＰＦ４４，４５で遮断されるため、直交復調器４３には入力されない。このため、ＲＦ部４０とＢＢ部６０との間が共通インタフェース５０を介して接続されても、相互の影響がない。よって、受信Ｉ信号、受信Ｑ信号、送信Ｉ信号及び送信Ｑ信号の各信号に対応するＲＦ部４０の端子数が２、及びＢＢ部６０の端子数が２となり、また、プリント基板上のパターンも２本となり、ＲＦ部４０、ＢＢ部６０、及びパターンの占有面積が小さくなり、デジタル無線回路の小形化が容易になる。【選択図】図１
2006135729.tif 000002
【特許請求の範囲】
【請求項１】
デジタル変調されてなる受信信号を受信ローカル信号により第１の周波数帯域を有する受信Ｉ信号及び該受信Ｉ信号と直交する受信Ｑ信号に直交復調する一方、前記第１の周波数帯域よりも低い第２の周波数帯域を有する送信Ｉ信号及び該送信Ｉ信号と直交する送信Ｑ信号を送信ローカル信号により送信信号に直交変調する送受信部と、
該送受信部からの前記受信Ｉ信号及び受信Ｑ信号をアナログ／デジタル変換してＩ成分及びＱ成分からなる受信系ベースバンド信号を出力する一方、Ｉ成分及びＱ成分からなる送信系ベースバンド信号をデジタル／アナログ変換して前記送信Ｉ信号及び送信Ｑ信号を前記送受信部へ出力する信号変換部と、
前記送受信部と前記信号変換部との間で、前記受信Ｉ信号、受信Ｑ信号、送信Ｉ信号及び送信Ｑ信号を伝送するインタフェース部とを備えてなるデジタル無線回路であって、
前記送受信部は、
前記受信Ｉ信号及び受信Ｑ信号を通過させると共に前記送信Ｉ信号及び送信Ｑ信号を遮断する第１のフィルタと、
前記送信Ｉ信号及び送信Ｑ信号を通過させると共に前記受信Ｉ信号及び受信Ｑ信号を遮断する第２のフィルタとが設けられ、
前記信号変換部は、
前記受信Ｉ信号及び受信Ｑ信号を通過させると共に前記送信Ｉ信号及び送信Ｑ信号を遮断する第３のフィルタと、
前記送信Ｉ信号及び送信Ｑ信号を通過させると共に前記受信Ｉ信号及び受信Ｑ信号を遮断する第４のフィルタとが設けられていることを特徴とするデジタル無線回路。
【請求項２】
前記送受信部は、
前記受信信号を前記受信ローカル信号により直交復調して前記受信Ｉ信号及び受信Ｑ信号を出力する直交復調器と、
前記送信Ｉ信号及び送信Ｑ信号を送信ローカル信号により直交変調して前記送信信号を出力する直交変調器とを備え、
前記信号変換部は、
前記直交復調器からの前記受信Ｉ信号及び受信Ｑ信号をアナログ／デジタル変換してＩ成分及びＱ成分からなる前記受信系ベースバンド信号を出力する受信信号変換器と、
Ｉ成分及びＱ成分からなる前記送信系ベースバンド信号をデジタル／アナログ変換して前記送信Ｉ信号及び送信Ｑ信号を前記直交変調器へ出力する送信信号変換器とを備えてなることを特徴とする請求項１記載のデジタル無線回路。
【請求項３】
前記第１のフィルタは、前記受信Ｉ信号及び受信Ｑ信号を通過させると共に前記送信Ｉ信号及び送信Ｑ信号を遮断する高域通過フィルタ、前記第２のフィルタは、前記送信Ｉ信号及び送信Ｑ信号を通過させると共に前記受信Ｉ信号及び受信Ｑ信号を遮断する低域通過フィルタ、前記第３のフィルタは、前記受信Ｉ信号及び受信Ｑ信号を通過させると共に前記送信Ｉ信号及び送信Ｑ信号を遮断する帯域通過フィルタ、及び、前記第４のフィルタは、前記送信Ｉ信号及び送信Ｑ信号を通過させると共に前記受信Ｉ信号及び受信Ｑ信号を遮断する低域通過フィルタで構成されていることを特徴とする請求項１記載のデジタル無線回路。
【請求項４】
前記第１のフィルタは、前記受信Ｉ信号及び受信Ｑ信号を通過させると共に前記送信Ｉ信号及び送信Ｑ信号を遮断する帯域通過フィルタ、前記第２のフィルタは、前記送信Ｉ信号及び送信Ｑ信号を通過させると共に前記受信Ｉ信号及び受信Ｑ信号を遮断する低域通過フィルタ、前記第３のフィルタは、前記受信Ｉ信号及び受信Ｑ信号を通過させると共に前記送信Ｉ信号及び送信Ｑ信号を遮断する高域通過フィルタ、及び、前記第４のフィルタは、前記送信Ｉ信号及び送信Ｑ信号を通過させると共に前記受信Ｉ信号及び受信Ｑ信号を遮断する低域通過フィルタで構成されていることを特徴とする請求項１記載のデジタル無線回路。
【請求項５】
前記送受信部は、第１の集積回路として構成され、前記信号変換部は、第２の集積回路として構成され、該第１の集積回路、該第２の集積回路及び前記インタフェース部が１つのプリント基板上に設けられていることを特徴とする請求項１記載のデジタル無線回路。
【請求項６】
請求項１乃至５のうちのいずれか一に記載のデジタル無線回路が設けられていることを特徴とする無線通信機器。
【発明の詳細な説明】
【技術分野】
【０００１】
この発明は、デジタル無線回路、及び該デジタル無線回路が設けられた無線通信機器に係り、たとえば携帯電話機などにおいて、無線信号を送受信する送受信部を構成する集積回路、及び同無線信号とベースバンド信号との間の変換を行う信号変換部を構成する集積回路が１つのプリント基板上に実装される場合に用いて好適なデジタル無線回路、及び該デジタル無線回路が設けられた無線通信機器に関する。
【背景技術】
【０００２】
携帯電話機などの無線通信機器では、デジタル変調された無線信号が送受信部で送受信され、信号変換部で同無線信号とベースバンド信号との間の変換が行われる。又、この場合、送受信部と信号変換部との間でインタフェース部を介して信号が伝送される。これらの送受信部、信号変換部、及びインタフェース部でデジタル無線回路が構成されている。
【０００３】
この種のデジタル無線回路は、従来では、たとえば図８に示すように、無線部（ＲＦ部）１０と、帯域通過フィルタ（ＢＰＦ）２１，２２と、低域通過フィルタ（ＬＰＦ）２３，２４と、ベースバンド部（ＢＢ部）３０とから構成されている。ＲＦ部１０は、直交復調器１１と、直交変調器１２とを有している。直交復調器１１は、図示しない受信機からデジタル変調された受信信号ＲＸｉｎを入力し、受信ローカル信号ＲＸＬｏにより第１の周波数帯域を有する受信Ｉ信号及び同受信Ｉ信号と直交する受信Ｑ信号に直交復調する。直交変調器１２は、第１の周波数帯域よりも低い第２の周波数帯域を有する送信Ｉ信号及び同送信Ｉ信号と直交する送信Ｑ信号を送信ローカル信号ＴＸＬｏにより送信信号ＴＸｏｕｔに直交変調して図示しない送信用電力増幅器へ送出する。ＢＰＦ２１は、受信Ｉ信号をＢＢ部３０へ伝送し、ＢＰＦ２２は、受信Ｑ信号をＢＢ部３０へ伝送する。
【０００４】
ＢＢ部３０は、Ａ／Ｄ（アナログ／デジタル）変換部３１，３２と、Ｄ／Ａ（デジタル／アナログ）変換部３３，３４とを有している。Ａ／Ｄ変換部３１は、受信Ｉ信号をＡ／Ｄ変換してＩ成分からなる受信系ベースバンド信号Ｂａを図示しないベースバンド処理部へ出力する。Ａ／Ｄ変換部３２は、受信Ｑ信号をＡ／Ｄ変換してＱ成分からなる受信系ベースバンド信号Ｂｂをベースバンド処理部へ出力する。Ｄ／Ａ変換部３３は、ベースバンド処理部からのＩ成分からなる送信系ベースバンド信号ＢｃをＤ／Ａ変換して送信Ｉ信号を出力する。Ｄ／Ａ変換部３４は、ベースバンド処理部からのＱ成分からなる送信系ベースバンド信号ＢｄをＤ／Ａ変換して送信Ｑ信号を出力する。ＬＰＦ２３は、Ｄ／Ａ変換部３３からの送信Ｉ信号を直交変調器１２へ伝送する。ＬＰＦ２４は、Ｄ／Ａ変換部３４からの送信Ｑ信号を直交変調器１２へ伝送する。
【０００５】
このデジタル無線回路では、ＲＦ部１０及びＢＢ部３０が、それぞれ集積回路として構成され、１つのプリント基板上に実装されている。また、ＲＦ部１０及びＢＢ部３０の切り口には、形態［１］〜［４］の４通りの形態がある。
すなわち、形態［１］では、ＬＰＦ２３，２４がＲＦ部１０内、及びＢＰＦ２１，２２がＢＢ部３０内に含まれ、同ＲＦ部１０と同ＢＰＦ２１，２２との間、及び同ＢＢ部３０とＬＰＦ２３，２４との間がプリント基板上の各パターンを介して接続されている。形態［２］では、ＢＰＦ２１，２２及びＬＰＦ２３，２４がＢＢ部３０内に含まれ、ＲＦ部１０と同ＢＰＦ２１，２２及びＬＰＦ２３，２４との間がプリント基板上の各パターンを介して接続されている。形態［３］では、ＢＰＦ２１，２２及びＬＰＦ２３，２４がＲＦ部１０内に含まれ、ＢＢ部３０と同ＢＰＦ２１，２２及びＬＰＦ２３，２４との間がプリント基板上の各パターンを介して接続されている。形態［４］では、ＢＰＦ２１，２２がＲＦ部１０内、及びＬＰＦ２３，２４がＢＢ部３０内に含まれ、ＢＢ部３０と同ＢＰＦ２１，２２との間、及び同ＲＦ部１０とＬＰＦ２３，２４との間がプリント基板上の各パターンを介して接続されている。上記各パターンは、インタフェース部の働きをする。
【０００６】
上記のデジタル無線回路の他、従来、この種の技術としては、たとえば、次のような文献に記載されるものがあった。
特許文献１に記載された２線式インターホン装置では、親機から子機へ伝送させる音声信号をベースバンド音声帯域にし、子機から親機へ伝送させる音声信号をキャリア信号のＡＭ変調信号にすることにより、親機及び子機双方向の信号伝送を行う際、線路長や線種の影響を最小限にして双方向の信号帰還の抑圧性能が向上する。
【０００７】
特許文献２に記載された移動通信システムの基地局アーキテクチャでは、基地送受信局は、ＲＦ／セクタ機能装置と受信器・送信器機能装置との間に新規の接続インタフェースを含む。インタフェースは、受信器・送信器機能装置とコード・デコーダ機能装置内に含まれる任意のリソースが任意のセクタに割り当てられることを可能とする。従って、受信器・送信器機能装置とコード・デコーダ機能装置と関係するベースバンドのハードウェアは、各セクタの最大負荷の代わりに基地送受信局全体の最大負荷を処理する寸法にすることができる。このため、ＲＦ部とベースバンド部とがインタフェースによって柔軟に接続される。
【特許文献１】特許第３４３６８５２号公報（第５頁、図１）
【特許文献２】特表２００１−５１９６３５号公報（第９頁、図２）
【発明の開示】
【発明が解決しようとする課題】
【０００８】
しかしながら、上記従来のデジタル無線回路では、次のような問題点があった。
すなわち、ＲＦ部１０及びＢＢ部３０の切り口に形態［１］〜［４］の４通りがあり、いずれも、受信Ｉ信号、受信Ｑ信号、送信Ｉ信号及び送信Ｑ信号を、それぞれ個別のパターンを介して伝送する構成となっているため、これらの各信号に対応するＲＦ部１０の端子数が４、及びＢＢ部３０の端子数が４と、合計で８つの端子が必要となり、また、プリント基板上のパターンも４本必要となる。このため、ＲＦ部１０、ＢＢ部３０、及びパターンの占有面積が大きくなり、デジタル無線回路の小形化が困難になるという問題点がある。
【０００９】
また、特許文献１に記載された２線式インターホン装置は、親機及び子機双方向の信号伝送を行う際、双方向の信号帰還の抑圧性能を向上させるものであり、この発明とは構成や主旨が異なる。
【００１０】
特許文献２に記載された基地局アーキテクチャは、無線基地局のＲＦ部とベースバンド部とをインタフェースによって柔軟に接続するものであり、この発明とは構成や主旨が異なる。
【００１１】
この発明は、上述の事情に鑑みてなされたもので、受信Ｉ信号、受信Ｑ信号、送信Ｉ信号及び送信Ｑ信号の各信号に対応するＲＦ部の端子数及びＢＢ部の端子数、及びプリント基板上のパターンを減らすことにより、ＲＦ部、ＢＢ部、及びパターンの占有面積が小さくなるデジタル無線回路を提供することを目的としている。
【課題を解決するための手段】
【００１２】
上記課題を解決するために、請求項１記載の発明は、デジタル変調されてなる受信信号を受信ローカル信号により第１の周波数帯域を有する受信Ｉ信号及び該受信Ｉ信号と直交する受信Ｑ信号に直交復調する一方、前記第１の周波数帯域よりも低い第２の周波数帯域を有する送信Ｉ信号及び該送信Ｉ信号と直交する送信Ｑ信号を送信ローカル信号により送信信号に直交変調する送受信部と、該送受信部からの前記受信Ｉ信号及び受信Ｑ信号をアナログ／デジタル変換してＩ成分及びＱ成分からなる受信系ベースバンド信号を出力する一方、Ｉ成分及びＱ成分からなる送信系ベースバンド信号をデジタル／アナログ変換して前記送信Ｉ信号及び送信Ｑ信号を前記送受信部へ出力する信号変換部と、前記送受信部と前記信号変換部との間で、前記受信Ｉ信号、受信Ｑ信号、送信Ｉ信号及び送信Ｑ信号を伝送するインタフェース部とを備えてなるデジタル無線回路に係り、前記送受信部は、前記受信Ｉ信号及び受信Ｑ信号を通過させると共に前記送信Ｉ信号及び送信Ｑ信号を遮断する第１のフィルタと、前記送信Ｉ信号及び送信Ｑ信号を通過させると共に前記受信Ｉ信号及び受信Ｑ信号を遮断する第２のフィルタとが設けられ、前記信号変換部は、前記受信Ｉ信号及び受信Ｑ信号を通過させると共に前記送信Ｉ信号及び送信Ｑ信号を遮断する第３のフィルタと、前記送信Ｉ信号及び送信Ｑ信号を通過させると共に前記受信Ｉ信号及び受信Ｑ信号を遮断する第４のフィルタとが設けられていることを特徴としている。
【００１３】
請求項２記載の発明は、請求項１記載のデジタル無線回路に係り、前記送受信部は、前記受信信号を前記受信ローカル信号により直交復調して前記受信Ｉ信号及び受信Ｑ信号を出力する直交復調器と、前記送信Ｉ信号及び送信Ｑ信号を送信ローカル信号により直交変調して前記送信信号を出力する直交変調器とを備え、前記信号変換部は、前記直交復調器からの前記受信Ｉ信号及び受信Ｑ信号をアナログ／デジタル変換してＩ成分及びＱ成分からなる前記受信系ベースバンド信号を出力する受信信号変換器と、Ｉ成分及びＱ成分からなる前記送信系ベースバンド信号をデジタル／アナログ変換して前記送信Ｉ信号及び送信Ｑ信号を前記直交変調器へ出力する送信信号変換器とを備えてなることを特徴としている。
【００１４】
請求項３記載の発明は、請求項１記載のデジタル無線回路に係り、前記第１のフィルタは、前記受信Ｉ信号及び受信Ｑ信号を通過させると共に前記送信Ｉ信号及び送信Ｑ信号を遮断する高域通過フィルタ、前記第２のフィルタは、前記送信Ｉ信号及び送信Ｑ信号を通過させると共に前記受信Ｉ信号及び受信Ｑ信号を遮断する低域通過フィルタ、前記第３のフィルタは、前記受信Ｉ信号及び受信Ｑ信号を通過させると共に前記送信Ｉ信号及び送信Ｑ信号を遮断する帯域通過フィルタ、及び、前記第４のフィルタは、前記送信Ｉ信号及び送信Ｑ信号を通過させると共に前記受信Ｉ信号及び受信Ｑ信号を遮断する低域通過フィルタで構成されていることを特徴としている。
【００１５】
請求項４記載の発明は、請求項１記載のデジタル無線回路に係り、前記第１のフィルタは、前記受信Ｉ信号及び受信Ｑ信号を通過させると共に前記送信Ｉ信号及び送信Ｑ信号を遮断する帯域通過フィルタ、前記第２のフィルタは、前記送信Ｉ信号及び送信Ｑ信号を通過させると共に前記受信Ｉ信号及び受信Ｑ信号を遮断する低域通過フィルタ、前記第３のフィルタは、前記受信Ｉ信号及び受信Ｑ信号を通過させると共に前記送信Ｉ信号及び送信Ｑ信号を遮断する高域通過フィルタ、及び、前記第４のフィルタは、前記送信Ｉ信号及び送信Ｑ信号を通過させると共に前記受信Ｉ信号及び受信Ｑ信号を遮断する低域通過フィルタで構成されていることを特徴としている。
【００１６】
請求項５記載の発明は、請求項１記載のデジタル無線回路に係り、前記送受信部は、第１の集積回路として構成され、前記信号変換部は、第２の集積回路として構成され、該第１の集積回路、該第２の集積回路及び前記インタフェース部が１つのプリント基板上に設けられていることを特徴としている。
【００１７】
請求項６記載の発明は、無線通信機器に係り、請求項１乃至５のうちのいずれか一に記載のデジタル無線回路が設けられていることを特徴としている。
【発明の効果】
【００１８】
この発明の構成によれば、送受信部は、第１のフィルタで受信Ｉ信号及び受信Ｑ信号を通過させると共に送信Ｉ信号及び送信Ｑ信号を遮断し、かつ第２のフィルタで送信Ｉ信号及び送信Ｑ信号を通過させると共に受信Ｉ信号及び受信Ｑ信号を遮断する。又、信号変換部は、第３のフィルタで受信Ｉ信号及び受信Ｑ信号を通過させると共に送信Ｉ信号及び送信Ｑ信号を遮断し、かつ第４のフィルタで送信Ｉ信号及び送信Ｑ信号を通過させると共に受信Ｉ信号及び受信Ｑ信号を遮断する。このため、インタフェース部は、受信Ｉ信号及び送信Ｉ信号を共通に伝送すると共に、受信Ｑ信号及び送信Ｑ信号を共通に伝送する構成となり、又、受信Ｉ信号、受信Ｑ信号、送信Ｉ信号及び送信Ｑ信号の各信号に対応する送受信部の端子数が２、及び信号変換部の端子数が２となり、デジタル無線回路の小形化が可能となる。又、送受信部が第１の集積回路として構成され、信号変換部が第２の集積回路として構成され、同第１の集積回路、同第２の集積回路及びインタフェース部が１つのプリント基板上に設けられる場合、同プリント基板上の占有面積が小さくなり、デジタル無線回路の小形化が容易となる。
【発明を実施するための最良の形態】
【００１９】
送受信部に、受信Ｉ信号及び受信Ｑ信号を通過させると共に送信Ｉ信号及び送信Ｑ信号を遮断する第１のフィルタ、及び送信Ｉ信号及び送信Ｑ信号を通過させると共に受信Ｉ信号及び受信Ｑ信号を遮断する第２のフィルタが設けられ、信号変換部に、受信Ｉ信号及び受信Ｑ信号を通過させると共に送信Ｉ信号及び送信Ｑ信号を遮断する第３のフィルタ、及び送信Ｉ信号及び送信Ｑ信号を通過させると共に受信Ｉ信号及び受信Ｑ信号を遮断する第４のフィルタが設けられているデジタル無線回路を提供する。
【実施例１】
【００２０】
図１は、この発明の第１の実施例であるデジタル無線回路が設けられた無線通信機器の要部の電気的構成を示すブロック図である。
この例の無線通信機器は、同図に示すように、携帯電話機３９であり、デジタル無線回路は、無線部（ＲＦ部）４０と、共通インタフェース５０と、ベースバンド部（ＢＢ部）６０とから構成されている。ＲＦ部４０は、受信部４１と、送信部４２とから構成されている。受信部４１は、直交復調器４３と、高域通過フィルタ（ＨＰＦ）４４，４５とを有している。直交復調器４３は、図示しない受信機からのデジタル変調された受信信号ＲＸｉｎ（周波数；Ｆｒｘ）を、受信ローカル信号ＲＸＬｏ（周波数；Ｆｒｘ＋α）により第１の周波数帯域を有する受信Ｉ信号及び同受信Ｉ信号と直交する受信Ｑ信号に直交復調する。ＨＰＦ４４は、受信Ｉ信号を通過させると共に、ＢＢ部６０から共通インタフェース５０を介して伝送される送信Ｉ信号を遮断する。ＨＰＦ４５は、受信Ｑ信号を通過させると共に、ＢＢ部６０から共通インタフェース５０を介して伝送される送信Ｑ信号を遮断する。
【００２１】
送信部４２は、直交変調器４６と、低域通過フィルタ（ＬＰＦ）４７，４８とを有している。直交変調器４６は、第１の周波数帯域よりも低い第２の周波数帯域を有する送信Ｉ信号及び同送信Ｉ信号と直交する送信Ｑ信号を送信ローカル信号ＴＸＬｏ（周波数；Ｆｔｘ）により送信信号ＴＸｏｕｔ（周波数；Ｆｔｘ）に直交変調して図示しない送信用電力増幅器へ送出する。ＬＰＦ４７は、ＢＢ部６０から共通インタフェース５０を介して伝送される送信Ｉ信号を通過させると共に受信Ｉ信号を遮断する。ＬＰＦ４８は、ＢＢ部６０から共通インタフェース５０を介して伝送される送信Ｑ信号を通過させると共に受信Ｑ信号を遮断する。
【００２２】
共通インタフェース５０は、ＲＦ部４０とＢＢ部６０との間で、受信Ｉ信号及び送信Ｉ信号を伝送するパターンと、受信Ｑ信号及び送信Ｑ信号を伝送するパターンとから構成されている。ＢＢ部６０は、受信部６１と、送信部６２とから構成されている。受信部６１は、帯域通過フィルタ（ＢＰＦ）６３，６４と、Ａ／Ｄ変換部６５，６６とを有している。ＢＰＦ６３は、受信Ｉ信号を通過させると共に送信Ｉ信号を遮断する。ＢＰＦ６４は、受信Ｑ信号を通過させると共に送信Ｑ信号を遮断する。Ａ／Ｄ変換部６５は、ＢＰＦ６３からの受信Ｉ信号をＡ／Ｄ変換してＩ成分からなる受信系ベースバンド信号Ｂａを図示しないベースバンド処理部へ出力する。Ａ／Ｄ変換部６６は、ＢＰＦ６４からの受信Ｑ信号をＡ／Ｄ変換してＱ成分からなる受信系ベースバンド信号Ｂｂをベースバンド処理部へ出力する。
【００２３】
送信部６２は、低域通過フィルタ（ＬＰＦ）６７，６８と、Ｄ／Ａ変換部６９，７０とを有している。Ｄ／Ａ変換部６９は、ベースバンド処理部からのＩ成分からなる送信系ベースバンド信号ＢｃをＤ／Ａ変換して送信Ｉ信号を出力する。Ｄ／Ａ変換部７０は、ベースバンド処理部からのＱ成分からなる送信系ベースバンド信号ＢｄをＤ／Ａ変換して送信Ｑ信号を出力する。ＬＰＦ６７は、Ｄ／Ａ変換部６９からの送信Ｉ信号を通過させると共に受信Ｉ信号を遮断する。ＬＰＦ６８は、Ｄ／Ａ変換部７０からの送信Ｑ信号を通過させると共に受信Ｑ信号を遮断する。
【００２４】
また、ＲＦ部４０は、第１の集積回路（ＬＳＩ、大規模集積回路）として構成され、ＢＢ部６０が、第２の集積回路（ＬＳＩ）として構成されている。そして、ＲＦ部４０、ＢＢ部６０及び共通インタフェース５０が図示しない１つのプリント基板上に設けられている。また、上記各フィルタは、たとえばＢＡＷ（Bulk Acoustic Wave）フィルタで構成されている。ＢＡＷフィルタは、ＡｌＮやＺｎＯなどの圧電膜をＭｏなどの電極層で挟み込んだ構造の共振器を使うフィルタである。ＳＡＷフィルタが表面弾性波を利用するのに対して、ＢＡＷフィルタは、バルク弾性波という圧電膜自体の共振振動を利用する。この共振器は、基板の種類を問わず、たとえば、Ｓｉ基板上に形成することができる。
【００２５】
図２は、図１中の直交復調器４３の構成図である。
この直交復調器４３は、同図２に示すように、２分配器８１と、乗算器８２，８３と、９０°移相器８４とから構成されている。２分配器８１は、入力された受信信号ＲＸｉｎを同相で２分配する。乗算器８２は、２分配器８１からの受信信号ＲＸｉｎと受信ローカル信号ＲＸＬｏとを乗算して受信Ｉ信号を生成する。９０°移相器８４は、受信ローカル信号ＲＸＬｏを９０°移相してローカル信号ＬｏＢを出力する。乗算器８３は、２分配器８１からの受信信号ＲＸｉｎとローカル信号ＬｏＢとを乗算して受信Ｑ信号を生成する。
【００２６】
図３は、図１中の直交変調器４６の構成図である。
この直交変調器４６は、同図３に示すように、乗算器９１，９２と、９０°移相器９３と、加算器９４とから構成されている。乗算器９１は、ＬＰＦ４７からの送信Ｉ信号と送信ローカル信号ＴＸＬｏとを乗算してＩ成分の送信ローカル信号ＴＸＩを生成する。９０°移相器９３は、送信ローカル信号ＴＸＬｏを９０°移相してＱ成分の送信ローカル信号ＴＸＬｏＢを生成する。乗算器９２は、ＬＰＦ４８からの送信Ｑ信号と送信ローカル信号ＴＸＬｏＢとを乗算してＱ成分の送信ローカル信号ＴＸＱを生成する。加算器９４は、送信ローカル信号ＴＸＩと送信ローカル信号ＴＸＱとを加算して送信信号ＴＸｏｕｔを出力する。
【００２７】
図４は、図１中のＨＰＦ４４，４５、ＬＰＦ４７，４８、ＬＰＦ６７，６８、及びＢＰＦ６３，６４の特性を示す図であり、縦軸に減衰量（Attenuation ）、及び横軸に周波数（Ｆｒｅｑ）がとられている。
同図４に示すように、ＨＰＦ４４，４５は、フィルタ特性Ｂ１に示す特性を有している。ＬＰＦ４７，４８及びＬＰＦ６７，６８は、フィルタ特性Ａに示す特性を有し、カットオフ周波数Ｆａは、送信信号ＴＸｏｕｔの帯域幅Ｔｘ ｂｗの１／２（第２の周波数帯域）以上となっている。すなわち、
Ｆａ≧Ｔｘ ｂｗ／２
又、Ｆｃは、送信特性に影響を及ぼさないレベルまで減衰されるのに必要な帯域幅である。又、ＢＰＦ６３，６４は、フィルタ特性Ｂに示す特性を有し、中心周波数がα、周波数帯域Ｆｂは、受信信号ＲＸｉｎの帯域幅Ｒｘ ｂｗ（第１の周波数帯域）以上となっている。すなわち、
Ｆｂ≧Ｒｘ ｂｗ
又、Ｆｄは、受信特性に影響を及ぼさないレベルまで減衰されるのに必要な帯域幅である。又、中心周波数αは、
Ｆａ＋Ｆｂ／２＋Ｆｃ＋Ｆｄ＜α
の関係に設定されている。
【００２８】
図５は、図１中の受信信号ＲＸｉｎ及び送信信号ＴＸｏｕｔの周波数特性を示す図、図６は、図１中の受信Ｉ信号、受信Ｑ信号、送信Ｉ信号、及び送信Ｑ信号の周波数特性を示す図である。
これらの図を参照して、この携帯電話機３９の動作について説明する。
この携帯電話機３９では、図５に示す受信信号ＲＸｉｎ（周波数；Ｆｒｘ）が、直交復調器４３で受信ローカル信号ＲＸＬｏ（周波数；Ｆｒｘ＋α）によりダウンコンバートされ、図６に示す第１の周波数帯域（Ｒｘ ｂｗ、中心周波数α）を有する受信Ｉ信号及び受信Ｑ信号に直交復調される。受信Ｉ信号及び受信Ｑ信号は、ＨＰＦ４４，４５、共通インタフェース５０、及びＢＰＦ６３，６４を経てＡ／Ｄ変換部６５，６６へそれぞれ伝送される。Ａ／Ｄ変換部６５では、ＢＰＦ６３からの受信Ｉ信号がＡ／Ｄ変換され、Ｉ成分からなる受信系ベースバンド信号Ｂａが図示しないベースバンド処理部へ出力される。Ａ／Ｄ変換部６６では、ＢＰＦ６４からの受信Ｑ信号がＡ／Ｄ変換され、Ｑ成分からなる受信系ベースバンド信号Ｂｂがベースバンド処理部へ出力される。この場合、受信Ｉ／Ｑ信号は、ＬＰＦ４７，４８で遮断されるため、直交変調器４６には入力されず、影響を与えない。又、受信Ｉ／Ｑ信号は、ＬＰＦ６７，６８で遮断されるため、Ｄ／Ａ変換部６９，７０には入力されず、影響を与えない。
【００２９】
又、図示しないベースバンド処理部からのＩ成分からなる送信系ベースバンド信号ＢｃがＤ／Ａ変換部６９でＤ／Ａ変換され、同Ｄ／Ａ変換部６９から送信Ｉ信号が出力される。又、ベースバンド処理部からのＱ成分からなる送信系ベースバンド信号ＢｄがＤ／Ａ変換部７０でＤ／Ａ変換され、同Ｄ／Ａ変換部７０から送信Ｑ信号が出力される。送信Ｉ信号及び送信Ｑ信号は、ＬＰＦ６７，６８、共通インタフェース５０、及びＬＰＦ４７，４８を経て直交変調器４６へ伝送される。直交変調器４６では、図６に示すＬＰＦ４７，４８からの第２の周波数帯域（Ｔｘ ｂｗ／２）を有する送信Ｉ信号及び送信Ｑ信号が送信ローカル信号ＴＸＬｏ（周波数；Ｆｔｘ）によりアップコンバートされ、図５に示す送信信号ＴＸｏｕｔ（周波数；Ｆｔｘ、帯域幅；Ｔｘ ｂｗ）に直交変調される。そして、送信信号ＴＸｏｕｔは、図示しない送信用電力増幅器へ送出される。この場合、出力Ｉ／Ｑ信号は、ＢＰＦ６３，６４で遮断されるため、Ａ／Ｄ変換部６５，６６には入力されず、影響を与えない。又、出力Ｉ／Ｑ信号は、ＨＰＦ４４，４５で遮断されるため、直交復調器４３には入力されず、影響を与えない。
【００３０】
以上のように、この第１の実施例では、受信Ｉ／Ｑ信号は、ＬＰＦ４７，４８で遮断されるため、直交変調器４６には入力されず、又、ＬＰＦ６７，６８で遮断されるため、Ｄ／Ａ変換部６９，７０には入力されない。又、出力Ｉ／Ｑ信号は、ＢＰＦ６３，６４で遮断されるため、Ａ／Ｄ変換部６５，６６には入力されず、又、ＨＰＦ４４，４５で遮断されるため、直交復調器４３には入力されない。このため、ＲＦ部４０とＢＢ部６０との間が共通インタフェース５０を介して接続されても、相互の影響がない。よって、受信Ｉ信号、受信Ｑ信号、送信Ｉ信号及び送信Ｑ信号の各信号に対応するＲＦ部４０の端子数が２、及びＢＢ部６０の端子数が２となり、また、プリント基板上のパターンも２本となる。このため、ＲＦ部４０、ＢＢ部６０、及びパターンの占有面積が小さくなり、デジタル無線回路の小形化が容易になる。
【実施例２】
【００３１】
図７は、この発明の第２の実施例であるデジタル無線回路が設けられた携帯電話機の要部の電気的構成を示すブロック図であり、第１の実施例を示す図１中の要素と共通の要素には共通の符号が付されている。
この例の携帯電話機３９Ａでは、同図７に示すように、図１中のＲＦ部４０及びＢＢ部６０に代えて、異なる構成のＲＦ部４０Ａ及びＢＢ部６０Ａが設けられている。ＲＦ部４０Ａでは、図１中の受信部４１に代えて、異なる構成の受信部４１Ａが設けられている。受信部４１Ａでは、図１中のＨＰＦ４４，４５に代えて、ＢＰＦ６３，６４が設けられている。ＢＢ部６０Ａでは、図１中の受信部６１に代えて、異なる構成の受信部６１Ａが設けられている。受信部６１Ａでは、図１中のＢＰＦ６３，６４に代えて、ＨＰＦ４４，４５が設けられている。他は、図１と同様の構成である。
【００３２】
この携帯電話機３９Ａの動作では、次の点が第１の実施例と異なっている。
すなわち、直交復調器４３で直交復調された受信Ｉ信号及び受信Ｑ信号は、ＢＰＦ６３，６４、共通インタフェース５０、及びＨＰＦ４４，４５を経てＡ／Ｄ変換部６５，６６へそれぞれ伝送される。Ａ／Ｄ変換部６５では、ＨＰＦ４４からの受信Ｉ信号がＡ／Ｄ変換され、Ｉ成分からなる受信系ベースバンド信号Ｂａが図示しないベースバンド処理部へ出力される。Ａ／Ｄ変換部６６では、ＨＰＦ４５からの受信Ｑ信号がＡ／Ｄ変換され、Ｑ成分からなる受信系ベースバンド信号Ｂｂがベースバンド処理部へ出力される。又、出力Ｉ／Ｑ信号は、ＨＰＦ４４，４５で遮断されるため、Ａ／Ｄ変換部６５，６６には入力されず、影響を与えない。又、出力Ｉ／Ｑ信号は、ＢＰＦ６３，６４で遮断されるため、直交復調器４３には入力されず、影響を与えない。他は、第１の実施例と同様の動作が行われ、同様の利点がある。
【００３３】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記各実施例では、共通インタフェース５０は、パターンで構成されているが、ケーブルなどでも良い。又、上記各実施例中の各フィルタは、ＢＡＷフィルタに限らず、集積回路内に構成でき、必要な特性が得られるものであれば、任意のもので良い。
【産業上の利用可能性】
【００３４】
この発明は、携帯電話機の他、たとえば、ＰＤＡ（Personal Digital Assistants ）や無線基地局などのような移動体通信に用いられるデジタル無線回路全般に適用できる。
【図面の簡単な説明】
【００３５】
【図１】この発明の第１の実施例であるデジタル無線回路が設けられた無線通信機器の要部の電気的構成を示すブロック図である。
【図２】図１中の直交復調器４３の構成図である。
【図３】図１中の直交変調器４６の構成図である。
【図４】図１中のＨＰＦ４４，４５、ＬＰＦ４７，４８、ＬＰＦ６７，６８、及びＢＰＦ６３，６４の特性を示す図である。
【図５】図１中の受信信号ＲＸｉｎ及び送信信号ＴＸｏｕｔの周波数特性を示す図である。
【図６】図１中の受信Ｉ信号、受信Ｑ信号、送信Ｉ信号、及び送信Ｑ信号の周波数特性を示す図である。
【図７】この発明の第２の実施例であるデジタル無線回路が設けられた携帯電話機の要部の電気的構成を示すブロック図である。
【図８】従来のデジタル無線回路の構成図である。
【符号の説明】
【００３６】
３９，３９Ａ      携帯電話機（無線通信機器）
４０，４０Ａ      無線部（ＲＦ部、送受信部の一部、第１の集積回路）
４１，４１Ａ      受信部（ＲＦ部、送受信部の一部、第１の集積回路の一部）
４２      送信部（ＲＦ部、送受信部の一部、第１の集積回路の一部）
４３      直交復調器（ＲＦ部、送受信部の一部、第１の集積回路の一部）
４４，４５      高域通過フィルタ（ＨＰＦ、第１のフィルタ）
４６      直交変調器（ＲＦ部、送受信部の一部、第１の集積回路の一部）
４７，４８      低域通過フィルタ（ＬＰＦ、第２のフィルタ）
５０      共通インタフェース（インタフェース部）
６０，６０Ａ      ベースバンド部（ＢＢ部、信号変換部、第２の集積回路）
６１，６１Ａ      受信部（ＢＢ部、信号変換部の一部、第２の集積回路の一部）
６２      送信部（ＢＢ部、信号変換部の一部、第２の集積回路の一部）
６３，６４      帯域通過フィルタ（ＢＰＦ、第３のフィルタ）
６５，６６      Ａ／Ｄ変換部（ＢＢ部、信号変換部の一部、第２の集積回路の一部）
６７，６８      低域通過フィルタ（ＬＰＦ、第４のフィルタ）
６９，７０      Ｄ／Ａ変換部（ＢＢ部、信号変換部の一部、第２の集積回路の一部）
【図１】
2006135729.tif 000003
【図２】
2006135729.tif 000004
【図３】
2006135729.tif 000005
【図４】
2006135729.tif 000006
【図５】
2006135729.tif 000007
【図６】
2006135729.tif 000008
【図７】
2006135729.tif 000009
【図８】
2006135729.tif 000010